(57)【要約】【課題】帯電装置に設けられた電極の、モータとの共振を抑えるための処理を行わない場合に比べ、共振に起因する、像保持体の帯電むらを低減する。【解決手段】振動幅検出部が、予め定められたタイミング毎に、グリッド電極の振動幅の検出処理を行う（ステップ１０１）。そして、回転数変更部が、検出されたグリッド電極の振動幅が、予め定められた振動幅を超えるか否かを判断する（ステップ１０２）。振動幅が、予め定められた振動幅を超える場合、回転数変更部が、現像モータの回転数を変更する（ステップ１０３）。【選択図】図７
2019061109.tif 000002
【特許請求の範囲】
【請求項１】
像を保持する像保持体と、
回転体を回転させるモータと、
前記モータにて発生した振動が伝わるとともに時間の経過に伴い固有振動数が変化する電極を備え、前記像保持体を帯電する帯電装置と、
前記電極の固有振動数と、前記モータの回転周波数との差が小さくなった場合に、当該電極の固有振動数と、当該モータの回転周波数との差が大きくなるように、当該モータの回転数を変更する変更手段と、
を備える画像形成装置。
【請求項２】
前記変更手段は、前記電極の振動幅が予め定められた振動幅を超える場合に、前記モータの回転数を変更して前記差を大きくする請求項１に記載の画像形成装置。
【請求項３】
前記電極の前記振動幅を検出する振動幅検出手段を更に備え、
前記振動幅検出手段は、前記電極を流れる電流の値、及び／又は、前記像保持体の帯電電位の値に基づき、前記電極の振動幅を検出する請求項２に記載の画像形成装置。
【請求項４】
前記変更手段は、前記電極を流れる電流の変動幅が予め定められた変動幅を超える場合に、及び／又は、前記像保持体の帯電電位の変動幅が予め定められた変動幅を超える場合に、前記モータの回転数を変更して前記差を大きくする請求項１に記載の画像形成装置。
【請求項５】
前記変更手段は、前記電極の清掃が行われた場合に、前記モータの回転数の変更をして前記差を大きくする請求項１に記載の画像形成装置。
【請求項６】
前記変更手段は、前記モータおよび前記電極の少なくとも一方が交換された場合に、当該モータの回転数を変更して前記差を大きくする請求項１に記載の画像形成装置。
【請求項７】
前記変更手段は、前記モータの回転数を変更して新たな回転数を設定するにあたり、当該モータの回転数が互いに異なる複数の条件下の各々にて前記電極の振動幅の検出を行い、検出した複数の振動幅のうちの最大の振動幅よりも小さい振動幅のときの回転数を、当該モータの新たな回転数とする請求項１に記載の画像形成装置。
【請求項８】
前記変更手段は、前記モータの立ち上がり時を利用して、当該モータの回転数が互いに異なる前記複数の条件下の各々における振動幅の検出を行う請求項７に記載の画像形成装置。
【請求項９】
前記変更手段は、前記画像形成装置の電源投入から記録材への画像形成が開始されるまでの間に、又は、当該画像形成装置が節電復帰してから記録材への画像形成が開始されるまでの間に、前記モータの回転数を変更して前記差を大きくする請求項１に記載の画像形成装置。
【請求項１０】
像を保持する像保持体と、
回転体を回転させるモータと、
前記モータにて発生した振動が伝わる電極を備え、前記像保持体を帯電する帯電装置と、
前記帯電装置の前記電極の振動幅が小さくなるように、前記モータの回転数を変更する変更手段と、
を備える画像形成装置。
【請求項１１】
前記電極の振動幅を検出する振動幅検出手段を更に備え、
前記振動幅検出手段は、前記電極を流れる電流の値、及び／又は、前記像保持体の帯電電位の値に基づき、前記振動幅を検出する請求項１０に記載の画像形成装置。
【請求項１２】
前記変更手段は、前記電極の振動幅が予め定められた振動幅よりも大きい場合に、前記モータの回転数を変更して当該電極の振動幅を小さくする請求項１０に記載の画像形成装置。
【請求項１３】
前記変更手段による回転数の変更後における前記電極の振動幅が、予め定められた振動幅よりも大きい場合に、前記モータの回転数の変更処理以外の処理を行って当該振動幅を小さくする手段を更に備える請求項１０に記載の画像形成装置。
【請求項１４】
前記振動幅を小さくする前記手段は、前記モータの回転数の変更処理以外の前記処理として、当該モータから前記電極への振動の伝達に影響を与える部材を動かす操作をユーザに促す通知を行う請求項１３に記載の画像形成装置。
【請求項１５】
前記振動幅を小さくする前記手段は、前記モータの回転数の変更処理以外の前記処理として、前記電極を清掃する処理を行う請求項１３に記載の画像形成装置。
【請求項１６】
像を保持する像保持体と、
回転体を回転させるモータと、
前記モータにて発生した振動が伝わる電極を備え、前記像保持体を帯電する帯電装置と、
前記電極の振動幅を検出する検出手段と、
前記検出手段により検出された振動幅が予め定められた振動幅を超える場合に、前記電極を清掃する清掃手段と、
を備える画像形成装置。
【請求項１７】
像を保持する像保持体と、
回転体を回転させるモータと、
前記モータにて発生した振動が伝わる電極を備え、前記像保持体を帯電する帯電装置と、
前記電極の振動幅を検出する検出手段と、
前記検出手段により検出された振動幅が予め定められた振動幅を超える場合に、前記モータから前記電極への振動の伝達に影響を与える部材を動かす操作をユーザに促す通知を行う通知手段と、
を備える画像形成装置。
【請求項１８】
前記通知手段は、前記画像形成装置の装置本体の装置フレームに対して移動可能に設けられた筺体であって前記帯電装置および前記モータが取り付けられた当該筺体を動かす操作をユーザに促す通知を行う請求項１７に記載の画像形成装置。
【発明の詳細な説明】
【技術分野】
【０００１】
本発明は、画像形成装置に関する。
【背景技術】
【０００２】
特許文献１には、振動検出手段によって検出された振動の大きさが閾値より大きい場合に、プロセス電圧の周波数を、振動の大きさが所定の閾値より小さくなる別の周波数に設定する処理が開示されている。
特許文献２には、入力された基準波形に基づいて生成したバイアスを現像剤担持体に印加した際に現像剤担持体において生じる電位変化を検知する処理が開示されている。
特許文献３には、感光ドラムと電位センサとの間に電位差を設け、その状態で電位センサからの交流検出信号を測定し、その測定して結果に基づき交流検出信号を増幅するゲインを補正する処理が開示されている。
【先行技術文献】
【特許文献】
【０００３】
【特許文献１】特開２０１１−２３７５３６号公報
【特許文献２】特開２００９−８５９９８号公報
【特許文献３】特開２０１０−７８５６９号公報
【発明の概要】
【発明が解決しようとする課題】
【０００４】
画像形成装置では、電極を有した帯電装置を用い、像保持体の帯電を行うことがある。ここで、画像形成装置では、モータが設けられる場合があり、このモータにて発生した振動が電極に伝わり共振が発生すると、共振が発生していない場合に比べて、像保持体と電極との位置関係が大きく変化し、像保持体の帯電むらが生じるおそれがある。
本発明の目的は、帯電装置に設けられた電極の、モータとの共振を抑えるための処理を行わない場合に比べ、共振に起因する、像保持体の帯電むらを低減することにある。
【課題を解決するための手段】
【０００５】
請求項１に記載の発明は、像を保持する像保持体と、回転体を回転させるモータと、前記モータにて発生した振動が伝わるとともに時間の経過に伴い固有振動数が変化する電極を備え、前記像保持体を帯電する帯電装置と、前記電極の固有振動数と、前記モータの回転周波数との差が小さくなった場合に、当該電極の固有振動数と、当該モータの回転周波数との差が大きくなるように、当該モータの回転数を変更する変更手段と、を備える画像形成装置である。
請求項２に記載の発明は、前記変更手段は、前記電極の振動幅が予め定められた振動幅を超える場合に、前記モータの回転数を変更して前記差を大きくする請求項１に記載の画像形成装置である。
請求項３に記載の発明は、前記電極の前記振動幅を検出する振動幅検出手段を更に備え、前記振動幅検出手段は、前記電極を流れる電流の値、及び／又は、前記像保持体の帯電電位の値に基づき、前記電極の振動幅を検出する請求項２に記載の画像形成装置である。
請求項４に記載の発明は、前記変更手段は、前記電極を流れる電流の変動幅が予め定められた変動幅を超える場合に、及び／又は、前記像保持体の帯電電位の変動幅が予め定められた変動幅を超える場合に、前記モータの回転数を変更して前記差を大きくする請求項１に記載の画像形成装置である。
請求項５に記載の発明は、前記変更手段は、前記電極の清掃が行われた場合に、前記モータの回転数の変更をして前記差を大きくする請求項１に記載の画像形成装置である。
請求項６に記載の発明は、前記変更手段は、前記モータおよび前記電極の少なくとも一方が交換された場合に、当該モータの回転数を変更して前記差を大きくする請求項１に記載の画像形成装置である。
請求項７に記載の発明は、前記変更手段は、前記モータの回転数を変更して新たな回転数を設定するにあたり、当該モータの回転数が互いに異なる複数の条件下の各々にて前記電極の振動幅の検出を行い、検出した複数の振動幅のうちの最大の振動幅よりも小さい振動幅のときの回転数を、当該モータの新たな回転数とする請求項１に記載の画像形成装置である。
請求項８に記載の発明は、前記変更手段は、前記モータの立ち上がり時を利用して、当該モータの回転数が互いに異なる前記複数の条件下の各々における振動幅の検出を行う請求項７に記載の画像形成装置である。
請求項９に記載の発明は、前記変更手段は、前記画像形成装置の電源投入から記録材への画像形成が開始されるまでの間に、又は、当該画像形成装置が節電復帰してから記録材への画像形成が開始されるまでの間に、前記モータの回転数を変更して前記差を大きくする請求項１に記載の画像形成装置である。
請求項１０に記載の発明は、像を保持する像保持体と、回転体を回転させるモータと、前記モータにて発生した振動が伝わる電極を備え、前記像保持体を帯電する帯電装置と、前記帯電装置の前記電極の振動幅が小さくなるように、前記モータの回転数を変更する変更手段と、を備える画像形成装置である。
請求項１１に記載の発明は、前記電極の振動幅を検出する振動幅検出手段を更に備え、前記振動幅検出手段は、前記電極を流れる電流の値、及び／又は、前記像保持体の帯電電位の値に基づき、前記振動幅を検出する請求項１０に記載の画像形成装置である。
請求項１２に記載の発明は、前記変更手段は、前記電極の振動幅が予め定められた振動幅よりも大きい場合に、前記モータの回転数を変更して当該電極の振動幅を小さくする請求項１０に記載の画像形成装置である。
請求項１３に記載の発明は、前記変更手段による回転数の変更後における前記電極の振動幅が、予め定められた振動幅よりも大きい場合に、前記モータの回転数の変更処理以外の処理を行って当該振動幅を小さくする手段を更に備える請求項１０に記載の画像形成装置である。
請求項１４に記載の発明は、前記振動幅を小さくする前記手段は、前記モータの回転数の変更処理以外の前記処理として、当該モータから前記電極への振動の伝達に影響を与える部材を動かす操作をユーザに促す通知を行う請求項１３に記載の画像形成装置である。
請求項１５に記載の発明は、前記振動幅を小さくする前記手段は、前記モータの回転数の変更処理以外の前記処理として、前記電極を清掃する処理を行う請求項１３に記載の画像形成装置である。
請求項１６に記載の発明は、像を保持する像保持体と、回転体を回転させるモータと、前記モータにて発生した振動が伝わる電極を備え、前記像保持体を帯電する帯電装置と、前記電極の振動幅を検出する検出手段と、前記検出手段により検出された振動幅が予め定められた振動幅を超える場合に、前記電極を清掃する清掃手段と、を備える画像形成装置である。
請求項１７に記載の発明は、像を保持する像保持体と、回転体を回転させるモータと、前記モータにて発生した振動が伝わる電極を備え、前記像保持体を帯電する帯電装置と、前記電極の振動幅を検出する検出手段と、前記検出手段により検出された振動幅が予め定められた振動幅を超える場合に、前記モータから前記電極への振動の伝達に影響を与える部材を動かす操作をユーザに促す通知を行う通知手段と、を備える画像形成装置である。
請求項１８に記載の発明は、前記通知手段は、前記画像形成装置の装置本体の装置フレームに対して移動可能に設けられた筺体であって前記帯電装置および前記モータが取り付けられた当該筺体を動かす操作をユーザに促す通知を行う請求項１７に記載の画像形成装置である。
【発明の効果】
【０００６】
請求項１の発明によれば、帯電装置に設けられた電極の、モータとの共振を抑えるための処理を行わない場合に比べ、共振に起因する、像保持体の帯電むらを低減することができる。
請求項２の発明によれば、電極の振動幅が予め定められた振動幅を超えておらず、振動幅が小さい場合でもモータの回転数を変更する場合に比べ、モータの回転数の変更頻度を低減できる。
請求項３の発明によれば、電極の振動幅を直接測定して振動幅を検出する場合に比べ、電極の振動幅をより簡易に検出できる。
請求項４の発明によれば、電極を流れる電流の変動幅や像保持体の帯電電位の変動幅が予め定められた変動幅を超えた場合にモータの回転数を変更しない場合に比べ、像保持体の帯電むらを生じにくくすることができる。
請求項５の発明によれば、電極の清掃が行われる前にモータの回転数の変更を行う場合に比べ、電極の固有振動数とモータの回転周波数との差が電極の清掃によって小さくなることを抑制できる。
請求項６の発明によれば、モータおよび電極の少なくとも一方が交換されてもモータの回転数をそのまま維持する場合に比べ、モータや電極の交換に伴い生じうる帯電むらを抑制できる。
請求項７の発明によれば、電極の振動幅とは無関係に新たな回転数を設定する場合に比べ、電極の振動に起因する、像保持体の帯電むらをより確実に低減できる。
請求項８の発明によれば、電極の振動幅の検出のためだけにモータを回転させずに済む。
請求項９の発明によれば、記録材への画像形成が開始された後に、モータの回転数の変更を行う場合に比べ、形成される画像の質が低下することを抑えることができる。
請求項１０の発明によれば、帯電装置に設けられた電極の、モータとの共振を抑えるための処理を行わない場合に比べ、共振に起因する、像保持体の帯電むらを低減することができる。
請求項１１の発明によれば、電極の振動幅を直接測定して振動幅を検出する場合に比べ、電極の振動幅をより簡易に検出できる。
請求項１２の発明によれば、電極の振動幅が予め定められた振動幅よりも大きくなっておらず、振動幅が小さい場合でもモータの回転数を変更する場合に比べ、モータの回転数の変更頻度を低減できる。
請求項１３の発明によれば、モータの回転数の変更のみで電極の振動幅を小さくする場合に比べ、電極の振動幅が小さくなる可能性を高めることができる。
請求項１４の発明によれば、モータから電極への振動の伝達に影響を与える部材を動かす操作をユーザに促す通知を行わない場合に比べ、電極の振動幅が小さくなる可能性を高めることができる。
請求項１５の発明によれば、電極を清掃する処理を行わない場合に比べ、電極の振動幅が小さくなる可能性を高めることができる。
請求項１６の発明によれば、帯電装置に設けられた電極の、モータとの共振を抑えるための処理を行わない場合に比べ、共振に起因する、像保持体の帯電むらを低減することができる。
請求項１７の発明によれば、帯電装置に設けられた電極の、モータとの共振を抑えるための処理を行わない場合に比べ、共振に起因する、像保持体の帯電むらを低減することができる。
請求項１８の発明によれば、筺体が動かされる可能性が高まり、電極の振動幅が小さくなる可能性を高めることができる。
【図面の簡単な説明】
【０００７】
【図１】画像形成装置の構成例を示した図である。
【図２】帯電装置を拡大して示した図である。
【図３】帯電装置を斜め上方から見た場合の斜視図である。
【図４】グリッド電極の正面図である。
【図５−１】画像形成装置のフロント側から画像形成装置の内部構成を見た場合の図である。
【図５−２】画像形成装置のリア側の内部構成を斜め上方から見た場合の図である。
【図６】主制御部により実現される機能を示した図である。
【図７】主制御部により実行される処理の流れを示した図である。
【図８】グリッド電極を流れる電流の値を示した図である。
【図９】現像モータの立ち上がり時の回転数の変化を示した図である。
【発明を実施するための形態】
【０００８】
以下、添付図面を参照して、本発明の実施の形態について詳細に説明する。
図１は、本実施形態の画像形成装置１の構成例を示した図である。
図１に示す画像形成装置１は、所謂タンデム型のカラープリンタであり、装置本体１Ｂの内部に、画像データに基づき画像形成を行う画像形成部１０が設けられている。また、主制御部５０が設けられている。
【０００９】
主制御部５０は、プログラム制御されたＣＰＵ（Central Processing Unit）により構成され、画像形成装置１に設けられた各装置、各機能部の動作制御や、パーソナルコンピュータ等との通信や、画像データに対する処理などを行う。
さらに、画像形成装置１には、液晶モニタなどの表示装置により構成され、ユーザからの操作入力の受付やユーザに対する各種情報の表示を行うユーザインターフェース部３０が設けられている。
【００１０】
画像形成手段の一例としての画像形成部１０は、例えば電子写真方式により画像を形成する機能部であり、イエロー（Ｙ）の画像形成ユニット１１Ｙ、マゼンタ（Ｍ）の画像形成ユニット１１Ｍ、シアン（Ｃ）の画像形成ユニット１１Ｃ、および、黒（Ｋ）の画像形成ユニット１１Ｋ、の４つの画像形成ユニットを備える。
【００１１】
なお、以下の説明において、各画像形成ユニットを特に区別しない場合には、「画像形成ユニット１１」と称する。
画像形成ユニット１１Ｙ、画像形成ユニット１１Ｍ、画像形成ユニット１１Ｃ、画像形成ユニット１１Ｋの各画像形成ユニット１１は、それぞれ、イエローのトナー像、マゼンタのトナー像、シアンのトナー像、黒のトナー像を形成する。
【００１２】
各画像形成ユニット１１には、像保持体の一例としての感光体ドラム１２が設けられている。感光体ドラム１２は、円筒状に形成され、外周面上に形成されるトナー像を保持する。本実施形態では、感光体ドラム１２の表面に静電潜像が形成され、次いで、トナーによる現像が行われる。これにより、感光体ドラム１２の表面にトナー像が形成され、このトナー像が、感光体ドラム１２により一時的に保持される。
【００１３】
また、各画像形成ユニット１１には、感光体ドラム１２の表面を帯電する帯電装置１３、帯電装置１３により帯電された感光体ドラム１２を画像データに基づいて露光する露光装置１４が設けられている。
さらに、各画像形成ユニット１１には、感光体ドラム１２上に形成された静電潜像を各色トナーにより現像する現像装置１５、転写後の感光体ドラム１２の表面を清掃するクリーナ１６が設けられている。
【００１４】
現像装置１５には、回転駆動を行い、現像剤であるトナーを感光体ドラム１２上に付着させる回転部材１５Ａが設けられている。また、現像装置１５には、回転駆動を行い、現像装置１５内にてトナーを搬送し、また、このトナーの攪拌を行うトナー搬送部材１５Ｂが設けられている。また、図１では図示を省略するが、回転部材１５Ａおよびトナー搬送部材１５Ｂを駆動する現像モータが設けられている。
なお、各画像形成ユニット１１は、現像装置１５に収容されるトナーを除いて同様に構成されている。
【００１５】
また、画像形成部１０には、各画像形成ユニット１１の感光体ドラム１２に形成された各色トナー像が転写される中間転写ベルト７０、各画像形成ユニット１１にて形成された各色トナー像を中間転写ベルト７０に転写（一次転写）する一次転写ロール７１が設けられている。
【００１６】
また、画像形成部１０には、中間転写ベルト７０上に重畳して転写された各色トナー像を、記録材の一例である用紙Ｐに対して一括転写（二次転写）する二次転写ロール７２が設けられている。さらに、二次転写された各色トナー像を用紙Ｐ上に定着する定着装置６０が設けられている。
なお、本実施形態では、二次転写ロール７２が配置され、中間転写ベルト７０上の各色トナー像が用紙Ｐに二次転写される領域を、以下、二次転写領域Ｔｒという。
【００１７】
画像形成装置１の動作を説明する。
画像形成にあたっては、画像形成ユニット１１の各々が、電子写真プロセスにより、黒、シアン、マゼンタ、イエローの各色トナー像を形成する。各画像形成ユニット１１にて形成された各色トナー像は、一次転写ロール７１により中間転写ベルト７０上に順に一次転写され、各色トナーが重畳されたトナー像が中間転写ベルト７０上に形成される。
中間転写ベルト７０上のトナー像は、中間転写ベルト７０の移動に伴って二次転写ロール７２が配置された二次転写領域Ｔｒに搬送される。
【００１８】
用紙搬送系では、繰出しロール４１により用紙収容容器４０から繰り出された用紙Ｐが、用紙搬送路に沿って搬送され、二次転写領域Ｔｒに到達する。
二次転写領域Ｔｒでは、二次転写ロール７２により形成された転写電界によって、中間転写ベルト７０上のトナー像が用紙Ｐに一括して二次転写される。
【００１９】
その後、トナー像が転写された用紙Ｐは、中間転写ベルト７０から分離され、用紙搬送路に沿って定着装置６０へ搬送される。
定着装置６０へ搬送された用紙Ｐ上のトナー像は、定着装置６０により用紙Ｐに定着される。その後、この用紙Ｐは、用紙排出部１Ａまで搬送される。
【００２０】
図２は、帯電装置１３を拡大して示した図である。また、図３は、帯電装置１３を斜め上方から見た場合の斜視図である。
図２に示すように、帯電装置１３には、画像形成装置１（図１参照）の前後方向に延び（画像形成装置１の奥行方向に延び、図２の紙面と直交する方向に延び）、感光体ドラム１２側が開放されたシールド電極２が設けられている。
【００２１】
言い換えると、帯電装置１３には、感光体ドラム１２の軸方向に沿って延びるシールド電極２が設けられている。
シールド電極２は、金属材料により形成されている。シールド電極２には、画像形成装置１の前後方向に延びる板状の上壁部２ａ、上壁部２ａの左右両側から下方に延びる板状の左壁部２ｂ、右壁部２ｃが設けられている。
【００２２】
さらに、シールド電極２の内部には、シールド電極の内部の空間を２つの仕切る板金８０が設けられている。
この板金８０は、感光体ドラム１２の径方向に沿うように配置されている。言い換えると、板金８０は、シールド電極２の上壁部２ａから感光体ドラム１２に向かうように配置されている。
【００２３】
シールド電極２の内部には、２本のワイヤ電極１１１が設けられている。
具体的には、板金８０により形成された２つの空間の各々に、ワイヤ電極１１１が設けられている。ワイヤ電極１１１の各々は、感光体ドラム１２の外周面に対向するように配置され、また、感光体ドラム１２の軸方向に沿うように配置されている。
【００２４】
ワイヤ電極１１１の各々は、線材により構成されている。
また、ワイヤ電極１１１の各々は、前後方向における一方の端部が前端ブロック４（図３参照）に固定され、他方の端部が後端ブロック３に固定されている。
【００２５】
さらに、図２に示すように、シールド電極２の開口部２ｄには、グリッド電極２９が設けられている。
電極の一例としてのこのグリッド電極２９は、前後方向（感光体ドラム１２の軸方向）に延びるように配置されている。さらに、グリッド電極２９は、薄膜状（薄板状）の金属により形成されている。
【００２６】
また、グリッド電極２９は、前端ブロック４（図３参照）および後端ブロック３により支持されている。さらに、グリッド電極２９は、前端ブロック４および後端ブロック３によって、長手方向に引っ張られ、グリッド電極２９には、張力が付与されている。
また、図４（グリッド電極の正面図）に示すように、グリッド電極２９には、多数の貫通孔２９Ａが形成され、この多数の貫通孔２９Ａが形成された部分は、網目状となっている。
【００２７】
図２を参照して、帯電装置１３への給電を行う回路構成を説明する。
本実施形態では、ワイヤ電極１１１とシールド電極２との間に、また、ワイヤ電極１１１とグリッド電極２９との間に電圧が印加され、ワイヤ電極１１１とシールド電極２との間に電位差が生じ、ワイヤ電極１１１とグリッド電極２９との間に電位差が生じる。
これにより、ワイヤ電極１１１から電子が放出され、感光体ドラム１２の表面が帯電される。
【００２８】
また、本実施形態では、図２に示すように、帯電装置１３を流れる帯電電流の値（グリッド電極２９を流れる電流の値）を測定する電流計９０が設けられている。さらに、感光体ドラム１２の表面１２Ａの電位を検出する電位センサ９５が設けられている。
詳細は後述するが、本実施形態では、この電流計９０にて得られた電流の値や、電位センサ９５にて得られた電位の値に基づき、グリッド電極２９の振動幅を検出する。そして、検出したこの振動幅が、予め定められた振動幅よりも大きい場合、現像モータ（後述）の回転数を変更する。
【００２９】
図２を参照して、帯電装置１３についてさらに説明する。
帯電装置１３には、さらに、ワイヤ電極１１１に押し当てられ、ワイヤ電極１１１を清掃するワイヤ清掃部材７６と、グリッド電極２９に押し当てられ、このグリッド電極２９を清掃するグリッド清掃部材７７が設けられている。
【００３０】
さらに、図示は省略するが、本実施形態では、このワイヤ清掃部材７６およびグリッド清掃部材７７を支持する支持部材が設けられている。
本実施形態では、この支持部材が、ワイヤ電極１１１、グリッド電極２９の延び方向に沿って移動することで、ワイヤ電極１１１の長手方向における全域に亘ってワイヤ清掃部材７６が移動し、グリッド電極２９の長手方向における全域に亘ってグリッド清掃部材７７が移動する。
【００３１】
また、本実施形態では、図３に示すように、シールド電極２の後端に、後端ブロック３が取り付けられ、シールド電極２の前端に、前端ブロック４が取り付けられている。
後端ブロック３、前端ブロック４の各々には、前後方向に延びる筒状のシャフト受け部３ａ，４ａが設けられている。
【００３２】
本実施形態では、シャフト受け部３ａ，４ａによって、前後方向に延びるシャフト６が回転可能な状態で支持される。このシャフト６の外周面には、螺旋状の突出部（雄ネジ）６ａが形成されている。シャフト６の一方の端部は、シャフト受け部３ａの内部を通って後方に延び、シャフト６のこの一方の端部には、従動カップリング７が取り付けられている。
【００３３】
従動カップリング７は、画像形成装置１の装置本体１Ｂ側に設けられた駆動カップリング８に連結される。さらに、本実施形態では、この駆動カップリング８を回転させる回転用モータ９が設けられている。
本実施形態では、回転用モータ９により駆動カップリング８が回転する。そして、従動カップリング７が、この駆動カップリング８から駆動力を受けることで、シャフト６が周方向に回転する。
【００３４】
さらに、本実施形態では、図３に示すように、シャフト６が通された筒状部７９が設けられている。この筒状部７９は、ワイヤ清掃部材７６およびグリッド清掃部材７７を支持する上記支持部材（不図示）に対して固定されている。
筒状部７９の内周面には、この内周面から突出した突起（不図示）が設けられている。本実施形態では、この突起が、シャフト６に設けられたらせん状の突出部６ａによって、シャフト６の軸方向に向けて押圧される。
【００３５】
これにより、上記支持部材が移動し、これに伴い、ワイヤ清掃部材７６、グリッド清掃部材７７が移動する。
ワイヤ清掃部材７６、グリッド清掃部材７７が移動することで、ワイヤ電極１１１の長手方向における全域に亘ってワイヤ電極１１１が清掃され、また、グリッド電極２９の長手方向における全域に亘ってグリッド電極２９が清掃される。
【００３６】
図５−１は、画像形成装置１のフロント側から画像形成装置１の内部構成を見た場合の図である。
図５−１に示すように、本実施形態の画像形成装置１では、装置本体１Ｂ（図１も参照）に本体側装置フレーム１Ｘが設けられている。
さらに、この本体側装置フレーム１Ｘに対して取り付けられ、この本体側装置フレーム１Ｘに対して移動可能に設けられた筺体の一例としての移動筺体（移動フレーム）１Ｙが設けられている。なお、この移動筺体１Ｙは、複数設けられた画像形成ユニット１１の各々に対応するように複数設けられている。
移動筺体１Ｙは、図５−１の矢印５Ｘに示す方向へ移動可能となっている。付言すると、本実施形態では、操作者がこの移動筺体１Ｙを矢印５Ｘに示す方向へ引っ張ることで、装置本体１Ｂ側からこの移動筺体１Ｙを引き出せるようになっている。
【００３７】
図５−２は、画像形成装置１のリア側の内部構成を斜め上方から見た場合の図である。
図５−２に示すように、また、上記にて説明したように、本実施形態の画像形成装置１では、装置本体１Ｂに本体側装置フレーム１Ｘが設けられている。
さらに、この本体側装置フレーム１Ｘに対して取り付けられ、この本体側装置フレーム１Ｘに対して移動可能に設けられた移動筺体（移動フレーム）１Ｙが設けられている。
【００３８】
移動筺体１Ｙは、図５−２の矢印５Ｘに示す方向へ移動可能となっている。付言すると、本実施形態では、操作者がこの移動筺体１Ｙを矢印５Ｘに示す方向へ引っ張ることで、装置本体１Ｂ側からこの移動筺体１Ｙを引き出せるようになっている。
本実施形態では、移動筺体１Ｙに対して、感光体ドラム１２、帯電装置１３（図５−２では不図示）、露光装置１４（図５−２では不図示）、現像装置１５などが取り付けられており、移動筺体１Ｙを装置本体１Ｂから引き出すと、これらも、画像形成装置１の装置本体１Ｂから引き出される。
【００３９】
さらに、本実施形態では、この移動筺体１Ｙに（移動筺体１Ｙのリア側に）、現像モータＭＧ（現像装置１５を駆動するためのモータ）が取り付けられている。
この現像モータＭＧは、現像装置１５に設けられた回転体の一例としての回転部材１５Ａ（図１参照）を回転させる。また、現像モータＭＧは、現像装置１５に設けられたトナー搬送部材１５Ｂ（図１参照）を回転させる。
【００４０】
本実施形態では、移動筺体１Ｙを装置本体１Ｂから引き出すと、この現像モータＭＧも、移動筺体１Ｙとともに移動する。
さらに、本実施形態では、感光体ドラム１２を回転させるドラムモータＭＤが設けられている。このドラムモータＭＤは、本体側装置フレーム１Ｘに対して取り付けられている。このため、本実施形態では、移動筺体１Ｙを移動させても、ドラムモータＭＤは移動しない。
【００４１】
図６は、主制御部５０により実現される機能を示した図である。なお、この図６では、グリッド電極２９の振動を抑えるための機能部のみを表示している。
本実施形態では、主制御部５０（図１参照）を構成するＣＰＵが、ＲＯＭなどに格納されているプログラムを実行することで、主制御部５０が、回転数変更部５１、振動幅検出部５２、清掃制御部５３、通知部５４として機能する。
【００４２】
変更手段の一例としての回転数変更部５１は、現像モータＭＧの回転数の変更処理を行う。これにより、本実施形態では、現像モータＭＧの回転周波数が変化する。ここで、回転周波数とは、１秒間あたりの現像モータＭＧの回転数を指す。
なお、以下の説明では、グリッド電極２９の振動幅の検出、現像モータＭＧの回転数の変更等の処理を行うが、この処理は、画像形成ユニット１１の各々にて個別に行う。
【００４３】
振動幅検出手段の一例としての振動幅検出部５２は、グリッド電極２９の振動幅を検出する。
より具体的には、振動幅検出部５２は、グリッド電極２９を流れる電流の値（電流計９０にて測定された電流の値）、及び／又は、感光体ドラム１２の帯電電位の値（電位センサ９５により検出された帯電電位の値）に基づき、グリッド電極２９の振動幅を検出する。
グリッド電極２９の振動に応じて、グリッド電極２９を流れる電流、感光体ドラム１２の帯電電位は変化するため、本実施形態では、グリッド電極２９を流れる電流、感光体ドラム１２の帯電電位に基づき、グリッド電極２９の振動幅を検出する。
なお、グリッド電極２９の振動幅の検出は、グリッド電極２９を流れる電流の値、および、感光体ドラム１２の帯電電位の値の２つの値に基づき行ってもよいし、この２つの値の一方の値に基づき行ってもよい。
【００４４】
清掃手段の一部として機能する清掃制御部５３は、振動幅検出部５２により検出された振動幅が予め定められた振動幅を超える場合などに、回転用モータ９（図３参照）を駆動して、シャフト６を回転させる。
これにより、ワイヤ清掃部材７６、グリッド清掃部材７７が移動し、ワイヤ電極１１１、グリッド電極２９の清掃が行われる。
【００４５】
通知手段の一例としての通知部５４は、振動幅検出部５２により検出された振動幅が予め定められた振動幅を超える場合などに、現像モータＭＧからグリッド電極２９への振動の伝達に影響を与える部材を動かす操作をユーザに促す通知を行う。
具体的には、通知部５４は、ユーザインターフェース部３０（図１）に予め定められた表示を行って、例えば、移動筺体１Ｙ（図５−１参照）を装置本体１Ｂから引き出す操作をユーザに促す通知を行う。
【００４６】
図７は、主制御部５０により実行される処理の流れの一例を示した図である。
本実施形態では、振動幅検出部５２が、予め定められたタイミング毎に、グリッド電極２９の振動幅の検出処理を行う（ステップ１０１）。
具体的には、振動幅検出部５２は、予め定められたタイミング毎に、グリッド電極２９を流れる電流の値（の変動幅）や、感光体ドラム１２の帯電電位の値（の変動幅）を把握し、この把握結果に基づき、グリッド電極２９の振動幅を検出する。
【００４７】
そして、回転数変更部５１が、検出されたグリッド電極２９の振動幅が、予め定められた振動幅（閾値）を超えるか否かを判断する（ステップ１０２）。
そして、振動幅が、予め定められた振動幅を超える場合、回転数変更部５１が、現像モータＭＧの回転数を変更する（ステップ１０３）。
なお、ステップ１０２にて、検出された振動幅が、予め定められた振動幅を超えていないと判断された場合は、ステップ１０１の処理を再び行う。
【００４８】
ここで、図８（グリッド電極２９を流れる電流の変動幅を示した図）において、符号Ｗ１で示す幅は、グリッド電極２９を流れる電流の値の変動幅（実際に検出された変動幅）（＝グリッド電極２９の振動幅）を示している。
また、図中符号Ｗ２で示す幅は、予め定められた変動幅（閾値）を示している。本実施形態では、符号Ｗ１で示す変動幅の方が、符号Ｗ２で示す変動幅よりも大きい場合に、現像モータＭＧの回転数を変更する。
【００４９】
これにより、本実施形態では、グリッド電極２９の固有振動数と、現像モータＭＧの回転周波数との差が大きくなり、グリッド電極２９の振動幅が小さくなる。
そして、グリッド電極２９の振動幅が小さくなると、感光体ドラム１２の帯電むらが減り、用紙Ｐに形成される画像の質の低下が起きにくくなる。
【００５０】
グリッド電極２９の振動幅が大きいと、グリッド電極２９と感光体ドラム１２との位置関係（離間距離）が変化し、これに伴い、感光体ドラム１２の帯電むら生じるおそれがある。そして、帯電むらが生じると、感光体ドラム１２上に形成されるトナー像にもむらが生じ、これに伴い、用紙Ｐに形成される画像の質が低下しやすくなる。
これに対し、本実施形態では、上記のように、グリッド電極２９の振動幅が大きい場合、現像モータＭＧの回転数を変更する。これにより、グリッド電極２９の振動幅が小さくなり、画像の質の低下が起きにくくなる。
【００５１】
本実施形態では、現像モータＭＧからの振動がグリッド電極２９に伝わってグリッド電極２９が振動する。
より具体的には、本実施形態では、感光体ドラム１２に対して、現像装置１５、グリッド電極２９（帯電装置１３）が押し当てられて位置決めされており、現像モータＭＧから現像装置１５へ伝わった振動が、感光体ドラム１２を介して帯電装置１３へ伝わり、グリッド電極２９が振動する。
【００５２】
特に、グリッド電極２９の固有振動数と現像モータＭＧの回転周波数とが近い場合は、グリッド電極２９と現像モータＭＧとの間にて共振が起こり、グリッド電極２９の振動が大きくなる。そして、この場合、形成される画像の質が低下しやすい。
そこで、本実施形態では、上記のとおり、グリッド電極２９の振動幅を検出するようにし、この振動幅が大きい場合には、現像モータＭＧの回転数を、グリッド電極２９と現像モータＭＧとの間で共振が起こらない回転数とする。これにより、グリッド電極２９の振動が小さくなり、画像の質の低下が抑制される。
【００５３】
本実施形態の画像形成装置１では、時間の経過とともに、グリッド電極２９の張力が変化し、また、時間の経過とともに、グリッド電極２９に付着する付着物が多くなる。これにより、グリッド電極２９の固有振動数が変化する。
これにより、当初は、グリッド電極２９の振動が小さい状況にあったとしても、後に、グリッド電極２９の固有振動数と現像モータＭＧの回転周波数とが近くなり、両者の間に共振が起きて、グリッド電極２９の振動が大きくなることがある。
【００５４】
この場合、本実施形態では、グリッド電極２９の振動幅が大きくなったことが検出され、現像モータＭＧの回転数が変更される。
これにより、現像モータＭＧの回転周波数が変化し、グリッド電極２９の固有振動数と現像モータＭＧの回転周波数との差が大きくなる。これにより、共振が起きにくくなり、グリッド電極２９の振動が小さくなる。
【００５５】
ここで、現像モータＭＧの回転数の変更は、回転数を増加させる変更、あるいは、回転数を減少させる変更のいずれであってもよい。
いずれの場合であっても、グリッド電極２９の固有振動数と現像モータＭＧの回転周波数との差が大きくなり、共振が起きにくくなる。
【００５６】
なお、グリッド電極２９の固有振動数と現像モータＭＧの回転周波数との差を大きくするほど、共振が起きにくくなるため、この差が極力大きくなるように、現像モータＭＧの回転数を変更することが好ましくなる。
言い換えると、現状の回転数（回転数変更前の回転数）と、変更後の回転数との差の絶対値がより大きくなるように、現像モータＭＧの回転数を変更することが好ましくなる。
【００５７】
その一方で、形成される画像の質を確保するため、本実施形態では、現像モータＭＧの回転数として、下限値、および、上限値が予め設定されている。
現状の回転数と、変更後の回転数との差をより大きくするには、変更後の回転数を、この下限値や上限値とすればよい。
なお、より好ましくは、この下限値および上限値のうち、現状の回転数との差の絶対値がより大きくなる方を選ぶことが好ましい。
【００５８】
なお、上記では、グリッド電極２９の振動幅を継続的に検出し、振動幅が予め定められた振動幅を超えた場合に、現像モータＭＧの回転数を変える場合を一例に説明した。
ところで、現像モータＭＧの回転数の変更処理は、振動幅が予め定められた振動幅を超えた場合に限らず、予め定められたタイミングにて行ってもよい。
【００５９】
この場合の変更処理は、例えば、現像モータＭＧの回転数を順次変更し、現像モータＭＧの回転数が互いに異なる複数の条件下の各々にてグリッド電極２９の振動幅を検出する。
そして、検出した複数の振動幅のうちの最大の振動幅よりも小さい振動幅のときの回転数を、現像モータＭＧの新たな回転数として設定する。
【００６０】
この処理では、最大の振動幅となったときの回転数（以下、「最大時回転数」）とは異なる回転数を、それまで設定されていた回転数に替わる新たな回転数とする。
より具体的には、新たな回転数の設定にあたっては、この新たな回転数と最大時回転数との差の絶対値の方が、それまで設定されていた回転数（変更前の回転数）と最大時回転数との差の絶対値よりも大きくなるように、この新たな回転数を設定する。
【００６１】
なお、上記複数の条件下の各々における振動幅の検出は、例えば、現像モータＭＧの立ち上がり時を利用して行うことが好ましい。
現像モータＭＧの立ち上がり時には、現像モータＭＧの回転数が次第に増加していくため、この立ち上がり時を利用すれば、現像モータＭＧの回転数を増加させるための専用の処理が不要となる。言い換えると、現像モータＭＧの立ち上がり時を利用すると、振動幅のみを検出するために現像モータＭＧを起動する必要が無くなる。
【００６２】
図９は、現像モータＭＧの立ち上がり時の回転数の変化を示した図である。
本実施形態では、現像モータＭＧの立ち上がり時、図９に示すように、現像モータＭＧの回転数は、次第に上昇していく。
また、本実施形態では、回転数が上がる度に、回転数の上昇を一旦停止させる。そして、回転数の上昇を一旦停止させる度に、グリッド電極２９の振動幅を検出する。
【００６３】
さらに、本実施形態では、現像モータＭＧの予定回転数（現像モータＭＧの回転数としてその時点で設定されている回転数）（現状の設定回転数）よりも回転数をさらに大きくして、この予定回数数よりも回転数が大きい条件においても、振動幅の検出を行う。
その後、複数得られた振動幅（複数得られた検出結果）のうちの、最大の振動幅を特定し、さらに、この最大の振動幅よりも小さい振動幅を特定する。そして、この小さい振動幅となったときの回転数を、現像モータＭＧの新たな回転数として設定する。
【００６４】
より具体的には、この小さい振動幅となったときの回転数であって、この回転数と最大時回転数との差の絶対値の方が、それまで設定されていた回転数（変更前の回転数）と最大時回転数との差の絶対値よりも大きくなる回転数を、新たな回転数として設定する。
これにより、現像モータＭＧの回転数が、グリッド電極２９にて共振が起こりにくい回転数に設定される。
【００６５】
なお、上記と同様、現状の回転数と、変更後の回転数との差をより大きくする方が好ましく、この場合、上記と同様、変更後の回転数を、現像モータＭＧの回転数の下限値や上限値とすればよい。
また、上記と同様、この場合、この下限値および上限値のうち、現状の回転数との差の絶対値がより大きくなる方を選ぶことが好ましい。
【００６６】
ここで、本実施形態では、グリッド電極２９の振動幅の検出にあたっては、上記の通り、グリッド電極２９の振動幅を直接検出するのではなく、グリッド電極２９を流れる電流の値の変動幅や、感光体ドラム１２の帯電電位の値の変動幅を把握する。
そして、本実施形態では、これらの変動幅が予め定められた変動幅を超える場合に、上記のように、現像モータＭＧの回転数を変更し、グリッド電極２９の固有振動数と現像モータＭＧの回転周波数との差を大きくする。
【００６７】
なお、現像モータＭＧの回転数の変更は、グリッド電極２９を流れる電流の値の変動幅、及び、感光体ドラム１２の帯電電位の値の変動幅の一方に基づき行ってもよいし、両者に基づき行ってもよい。言い換えると、現像モータＭＧの回転数の変更は、グリッド電極２９を流れる電流の値の変動幅が予め定められた変動幅を超え、且つ、感光体ドラム１２の帯電電位の値の変動幅が予め定められた変動幅を超えた場合に行ってもよいし、一方の変動幅が予め定められた変動幅を超えた場合に行ってもよい。
【００６８】
また、現像モータＭＧの回転数の変更は、他のタイミングで行ってよく、例えば、グリッド電極２９の清掃がなされた場合に行ってもよい。
より具体的には、グリッド電極２９の清掃が行われた場合、まず、現像モータＭＧを回転させ、グリッド電極２９の振動幅を検出する。そして、この振動幅が予め定められた振動幅を超える場合には、上記と同様、現像モータＭＧの回転数を変更し、現像モータＭＧの回転周波数を変更する。
【００６９】
ここで、例えば、グリッド電極２９の清掃が行われる前に、グリッド電極２９の振動幅を検出し、そして、この振動幅が大きい場合に、現像モータＭＧの回転数を変更する処理も考えられる。
ところで、この場合、後に行われるグリッド電極２９の清掃によって、グリッド電極２９の固有振動数が変化して、グリッド電極２９の固有振動数と現像モータＭＧの回転周波数とが近づくことが起こりうる。この場合、グリッド電極２９が振動して、帯電むらが起きやすくなる。
【００７０】
これに対し、上記のように、グリッド電極２９の清掃後に、現像モータＭＧの回転数を変更して、グリッド電極２９の固有振動数と現像モータＭＧの回転周波数との差を大きくしておくと、帯電むらが起きにくくなる。
具体的には、この場合、後に、グリッド電極２９の清掃が再び行われたとしても、グリッド電極２９の固有振動数の変化の程度が小さく、グリッド電極２９の固有振動数と現像モータＭＧの回転周波数との差が大きい状態が維持されやすくなる。そして、この場合、グリッド電極２９の共振が起きにくくなり、帯電むらが起きにくくなる。
【００７１】
なお、グリッド電極２９の清掃がなされた場合の、現像モータＭＧの回転数の変更は、グリッド電極２９の清掃がなされた後であって、画像形成が開始される前に行うことが好ましい。言い換えると、清掃が行われた後に行われる１枚目の用紙Ｐへの画像形成が行われる前に、現像モータＭＧの回転数の変更を行うことが好ましい。
この場合、画像形成が開始された後に回転数の変更を行う場合に比べ、形成される画像の質が低下することが抑制される。
【００７２】
また、現像モータＭＧの回転数の変更は、現像モータＭＧや、グリッド電極２９（帯電装置１３）の少なくとも一方が交換された場合に行ってもよい。
具体的には、現像モータＭＧや、グリッド電極２９の少なくとも一方が交換された場合であって、グリッド電極２９の振動幅が予め定められた振動幅を超える場合に、現像モータＭＧの回転数の変更を行ってもよい。
【００７３】
より具体的には、この場合、現像モータＭＧや、グリッド電極２９の少なくとも一方が交換された後、現像モータＭＧを回転させ、グリッド電極２９の振動幅を検出する。
そして、この振動幅が予め定められた振動幅を超える場合、上記と同様、現像モータＭＧの回転数を変更し、現像モータＭＧの回転周波数を変更する。
【００７４】
現像モータＭＧや、グリッド電極２９の少なくとも一方が交換されると、グリッド電極２９の固有振動数と、現像モータＭＧの回転周波数とが近づくことが起こりうる。そして、この場合、上記と同様、共振により、グリッド電極２９が振動して、感光体ドラム１２の帯電むらが起こりうる。
現像モータＭＧや、グリッド電極２９の少なくとも一方が交換された場合に、現像モータＭＧの回転数の変更を行うと、グリッド電極２９の固有振動数と現像モータＭＧの回転周波数との差を大きくでき、感光体ドラム１２の帯電むらが起きにくくなる。
【００７５】
なお、本実施形態では、移動筺体１Ｙ（図５−１参照）の部分がユニット化されており、このユニット化されている部分の全体が、新たなユニットに交換される場合もある。
本実施形態では、この新たなユニットに交換され、且つ、グリッド電極２９の振動幅が予め定められた振動幅を超える場合にも、現像モータＭＧの回転数を変更し、現像モータＭＧの回転周波数を変更する。
【００７６】
なお、上記と同様、現像モータＭＧやグリッド電極２９が交換された後の、現像モータＭＧの回転数の変更や、ユニットが交換された後の現像モータＭＧの回転数の変更は、この交換の後に行われる最初の画像形成が開始されるまでに行うことが好ましい。
【００７７】
さらに、現像モータＭＧの回転数の変更は、画像形成装置１の電源投入から用紙Ｐへの画像形成が開始されるまでの間や、画像形成装置１が節電復帰してから用紙Ｐへの画像形成が開始されるまでの間に行ってよい。
より具体的には、この場合は、まず、画像形成装置１の電源投入や画像形成装置１の節電復帰があった場合に、現像モータＭＧを回転させ、グリッド電極２９の振動幅の検出を行う。
【００７８】
そして、グリッド電極２９の振動幅が予め定められた振動幅よりも大きい場合、用紙Ｐへの画像形成が開始されるまでの間に、現像モータＭＧの回転数の変更処理を行う。そして、用紙Ｐへの画像形成は、回転数を変更した後の回転数で現像モータＭＧを回転させて行う。
この場合も、画像形成が開始された後に回転数の変更を行う場合に比べ、形成される画像の質が低下することが抑制される。
【００７９】
以上説明したように、本実施形態では、グリッド電極２９の振動幅が大きい場合に、現像モータＭＧの回転数を変更する。
ところで、現像モータＭＧの回転数を変更した後、依然として、グリッド電極２９の振動幅が予め定められた振動幅よりも大きい場合には、回転数の変更処理以外の処理を行って、グリッド電極２９の振動幅を小さくしてもよい。
【００８０】
より具体的には、グリッド電極２９の振動幅が依然として大きく、グリッド電極２９の振動幅が予め定められた振動幅よりも大きい場合、例えば、通知部５４（図６参照）が、現像モータＭＧからグリッド電極２９への振動の伝達に影響を与える部材（以下、「影響部材」と称する）を動かす操作をユーザに促す通知を行う。
【００８１】
具体的には、本実施形態では、通知部５４は、移動筺体１Ｙの引き出し操作および移動筺体１Ｙを元に戻す操作をユーザに促す通知をユーザに対して行う。
より具体的には、通知部５４は、例えば、「移動筺体１Ｙを引き出し、その後、移動筺体１Ｙを元に戻してください」などの表示を、ユーザインターフェース部３０（図１参照）に表示する。
【００８２】
これにより、グリッド電極２９の振動幅が小さくなる可能性が高まる。
ここで、グリッド電極２９の振動は、現像モータＭＧからの振動がグリッド電極２９に伝わることにより生じるため、現像モータＭＧからグリッド電極２９への振動の伝達に影響を与える影響部材を動かすことにより、振動の伝達状態が変化し、振動が低減することがある。
【００８３】
より具体的には、本実施形態では、移動筺体１Ｙにより、グリッド電極２９および現像モータＭＧの両者が支持されており、ユーザが移動筺体１Ｙを引き出すことで、振動の伝わり方が変化し、振動が低減することがある。
なお、本実施形態では、移動筺体１Ｙを動かす場合を一例に説明したが、移動筺体１Ｙに限らず、例えば、現像装置１５を動かす操作をユーザに促す通知を行ってもよい。また、例えば、帯電装置１３を動かす操作や、感光体ドラム１２を動かす操作をユーザに促す通知を行ってもよい。
【００８４】
また、回転数の変更処理を行った後も、グリッド電極２９の振動幅が依然として大きい場合、グリッド電極２９の清掃を行ってもよい。具体的には、この場合、清掃制御部５３（図６参照）が、回転用モータ９（図３参照）を駆動して、ワイヤ清掃部材７６（図２参照）、グリッド清掃部材７７を移動させ、ワイヤ電極１１１、グリッド電極２９の清掃を行う。
これにより、グリッド電極２９の固有振動数と現像モータＭＧの回転周波数との差が大きくなることがあり、この場合、グリッド電極２９の振動幅が小さくなる。
【００８５】
また、上記にて説明した回転数の変更処理に替えて、影響部材を動かす操作をユーザに促す通知や、グリッド電極２９を清掃する処理を行ってもよい。
即ち、上記では、グリッド電極２９の振動幅が大きい場合に、現像モータＭＧの回転数を変更したが、グリッド電極２９の振動幅が大きい場合、回転数の変更ではなく、影響部材を動かす操作を促す通知や、グリッド電極２９を清掃する処理を行ってもよい。
【００８６】
また、現像モータＭＧの回転数の変更は、影響部材がユーザにより操作された場合に行ってもよい。
より具体的には、影響部材がユーザにより操作された場合、グリッド電極２９の振動幅の検出処理を行う。そして、この振動幅が、予め定められた振動幅よりも大きい場合、現像モータＭＧの回転数を変更する。
【００８７】
影響部材がユーザにより操作されると、振動の伝達状態が変化し、それまで共振が生じていなかった状況から、共振が生じる状況に変化することがある。
影響部材がユーザにより操作された場合に、振動幅の検出、現像モータＭＧの回転数の変更を行うことで、影響部材が操作されたことに起因する、グリッド電極２９の振動を抑えられる。
【００８８】
また、現像モータＭＧの回転数の変更は、現像モータＭＧの回転駆動中に行ってもよい。単位時間当たりの変更量が小さい場合には、用紙Ｐへの画像形成途中など、何れのタイミングであっても（現像モータＭＧの回転駆動中であっても）、回転数の変更を行える。
単位時間当たりの変更量が小さい場合、画質への影響は極めて小さく、用紙Ｐへの画像形成処理を行っている最中でも（現像モータＭＧの回転駆動中であっても）、現像モータＭＧの回転数の変更処理を行える。
【００８９】
また、その他に、現像モータＭＧの回転数の変更処理は、連続して搬送されて画像形成が行われる複数枚の用紙Ｐの用紙間にて行ってもよい。言い換えると、いわゆるインターイメージにて、現像モータＭＧの回転数の変更処理を行ってもよい。
【符号の説明】
【００９０】
１…画像形成装置、１Ｘ…本体側装置フレーム、１Ｙ…移動筺体、１２…感光体ドラム、１３…帯電装置、１５Ａ…回転部材、２９…グリッド電極、５１…回転数変更部、５２…振動幅検出部、５３…清掃制御部、５４…通知部、ＭＧ…現像モータ
【図１】
2019061109.tif 000003
【図２】
2019061109.tif 000004
【図３】
2019061109.tif 000005
【図４】
2019061109.tif 000006
【図５−１】
2019061109.tif 000007
【図５−２】
2019061109.tif 000008
【図６】
2019061109.tif 000009
【図７】
2019061109.tif 000010
【図８】
2019061109.tif 000011
【図９】
2019061109.tif 000012